(57)【要約】【課題】駆動波形を改善して固着残像及び蛍光体の損傷を防止することができるプラズマディスプレイ装置を提供する。【解決手段】維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加する第２駆動部とを備える。【選択図】図２
2007108760.tif 000002
【特許請求の範囲】
【請求項１】
維持電極及び該維持電極と交差するデータ電極を備えるプラズマディスプレイパネルと、
サステイン期間において、前記維持電極に正極性サステインパルス及び負極性サステインパルスを印加する第１駆動部と、
前記正極性サステインパルスの印加時点の前に、前記データ電極に正極性電圧を印加する第２駆動部と
を備えるプラズマディスプレイ装置。
【請求項２】
前記維持電極は、スキャン電極又はサステイン電極であることを特徴とする請求項１に記載のプラズマディスプレイ装置。
【請求項３】
前記第１駆動部は、
前記サステイン期間において、前記スキャン電極又は前記サステイン電極のうち、前記正極性サステインパルス及び前記負極性サステインパルスが印加されない電極をグラウンド（ＧＮＤ）レベルの電圧に維持させることを特徴とする請求項２に記載のプラズマディスプレイ装置。
【請求項４】
前記第２駆動部は、
前記データ電極に印加される前記正極性電圧を前記サステイン期間の間に所定電圧レベルに維持させることを特徴とする請求項１に記載のプラズマディスプレイ装置。
【請求項５】
前記第１駆動部は、
リセット期間において、前記維持電極に負極性リセットパルスを印加することを特徴とする請求項１に記載のプラズマディスプレイ装置。
【請求項６】
前記第２駆動部は、
前記維持電極に負極性リセットパルスが印加される間に、前記データ電極に正極性の電圧を印加することを特徴とする請求項５に記載のプラズマディスプレイ装置。
【請求項７】
前記第１駆動部は、
前記負極性リセットパルスを印加した後、アドレス期間の前に、前記維持電極に正極性の狭幅パルスを印加することを特徴とする請求項５に記載のプラズマディスプレイ装置。
【請求項８】
維持電極及び該維持電極と交差するデータ電極を備えるプラズマディスプレイパネルと、
サステイン期間において、前記維持電極に正極性サステインパルス及び負極性サステインパルスを印加する第１駆動部と、
前記正極性サステインパルスの印加時点の前に、前記データ電極に正極性電圧を印加し、前記正極性サステインパルスの印加時点又は印加時点の前に、前記正極性電圧の印加を中止する第２駆動部と
を備えるプラズマディスプレイ装置。
【請求項９】
前記維持電極は、スキャン電極又はサステイン電極のうちのいずれかであることを特徴とする請求項８に記載のプラズマディスプレイ装置。
【請求項１０】
前記第１駆動部は、
前記サステイン期間において、前記スキャン電極又は前記サステイン電極のうち、前記正極性サステインパルス及び前記負極性サステインパルスが印加されない電極にグラウンド（ＧＮＤ）レベルの電圧に維持させることを特徴とする請求項９に記載のプラズマディスプレイ装置。
【請求項１１】
前記第１駆動部は、
リセット期間において、前記維持電極に負極性リセットパルスを印加することを特徴とする請求項８に記載のプラズマディスプレイ装置。
【請求項１２】
前記第２駆動部は、
前記維持電極に負極性リセットパルスが印加される間に、前記データ電極に正極性の電圧を印加することを特徴とする請求項１１に記載のプラズマディスプレイ装置。
【請求項１３】
前記第１駆動部は、
前記負極性リセットパルスを印加した後、アドレス期間の前に、前記維持電極に正極性の狭幅パルスを印加することを特徴とする請求項１１に記載のプラズマディスプレイ装置。
【請求項１４】
維持電極及び該維持電極と交差するデータ電極を備えるプラズマディスプレイパネルと、
サステイン期間において、前記維持電極に正極性サステインパルス及び負極性サステインパルスを印加する第１駆動部と、
前記正極性サステインパルスの印加時点の前に、前記データ電極に正極性電圧を印加し、前記正極性サステインパルスがサステイン電圧を維持する間に、前記正極性電圧の印加を中止する第２駆動部と
を備えるプラズマディスプレイ装置。
【請求項１５】
前記第２駆動部は、
前記データ電極に印加される前記正極性電圧を所定の傾斜で上昇させることを特徴とする請求項１４に記載のプラズマディスプレイ装置。
【請求項１６】
前記維持電極は、スキャン電極又はサステイン電極のうちのいずれかであることを特徴とする請求項１４に記載のプラズマディスプレイ装置。
【請求項１７】
前記第１駆動部は、
前記サステイン期間において、前記スキャン電極又は前記サステイン電極のうち、前記正極性サステインパルス及び前記負極性サステインパルスが印加されない電極にグラウンド（ＧＮＤ）レベルの電圧に維持させることを特徴とする請求項１６に記載のプラズマディスプレイ装置。
【請求項１８】
前記第１駆動部は、
リセット期間において、前記維持電極に負極性リセットパルスを印加することを特徴とする請求項１４に記載のプラズマディスプレイ装置。
【請求項１９】
前記第２駆動部は、
前記維持電極に負極性リセットパルスが印加される間に、前記データ電極に正極性の電圧を印加することを特徴とする請求項１８に記載のプラズマディスプレイ装置。
【請求項２０】
前記第１駆動部は、
前記負極性リセットパルスを印加した後、アドレス期間の前に、前記維持電極に正極性の狭幅パルスを印加することを特徴とする請求項１８に記載のプラズマディスプレイ装置。
【発明の詳細な説明】
【技術分野】
【０００１】
本発明は、ディスプレイ装置に関し、更に詳細には、プラズマディスプレイ装置に関する。
【背景技術】
【０００２】
一般に、プラズマディスプレイパネルは、前面パネルと後面パネルとの間に形成された隔壁が１つの単位放電セルをなすものであって、各セル内には、ネオン（Ｎｅ）、ヘリウム（Ｈｅ）又はネオン及びヘリウムの混合気体（Ｎｅ＋Ｈｅ）のような主放電気体と少量のキセノンとを含有する不活性ガスが充填されている。上述した単位放電セルは、複数個が集まって１つの画素をなす。例えば、赤色（Ｒｅｄ、Ｒ）セル、緑色（Ｇｒｅｅｎ、Ｇ）セル、青色（Ｂｌｕｅ、Ｂ）セルが集まって、１つのピクセルをなす。
【０００３】
このような単位放電セルに高周波電圧が印加されて放電される際、不活性ガスは、真空紫外線（Ｖａｃｕｕｍ  Ｕｌｔｒａ  Ｖｉｏｌｅｔ  ｒａｙｓ）を発生し、隔壁の間に形成された蛍光体を発光させて画像を具現する。
【０００４】
プラズマディスプレイパネルは、複数の電極、例えばスキャン電極Ｙ、サステイン電極Ｚ、データ電極Ｘを備え、このようなプラズマディスプレイパネルの電極に駆動電圧を供給するための駆動部が各電極に接続されて、プラズマディスプレイ装置をなす。
【０００５】
各駆動部は、プラズマディスプレイパネルを駆動する際、所定期間において、例えばリセット期間においてリセットパルス、アドレス期間においてスキャンパルス、サステイン期間においてサステインパルスのような駆動パルスをプラズマディスプレイパネルの電極に供給して画像を具現する。このようなプラズマディスプレイ装置は、薄くて軽い構成が可能なので、現在、表示装置として注目されつつある。
【０００６】
一方、このように駆動される従来のプラズマディスプレイ装置において、蛍光体など放電に影響を及ぼす因子が固着化されて現れる固着残像が発生するが、これを説明すれば、下記の図１の通りである。
【０００７】
図１は、従来のプラズマディスプレイパネルにおいて発生する残像を説明するための図である。
【０００８】
図１の（ａ）に示すように、パネル表示面１０のうち、局部的に所定領域１２に放電を発生させる。次に、図１の（ｂ）に示すように、上述した所定領域１２の放電を停止させるか、あるいは、他のパターンの放電、すなわち他の映像に移ると、上述した所定領域１２は、次の映像に残像として現れるという問題がある。
【０００９】
このような残像は、同じ画面が持続する場合や画面の変化が微々たる場合にさらに深化して、固着残像を引き起こす。例えば、連続して入力される映像データの変化率がないか、あるいは、臨界変化率以下の場合、パネル表示面のうち、同一又は類似した領域にサステインパルスを同一又は類似したパターンに印加する。このとき、蛍光体など放電に影響を及ぼす因子の固着化は、さらに深化されて、それにより具現される映像は、さらに固定化され、これにより、次の映像に現れる残像を深刻化させる固着残像が発生するのである。
【００１０】
また、映像を表示するためのサステイン放電の際、蛍光体に対応する部分に多くの壁電荷が生成されると、蛍光体の損傷を引き起こして画像の固着残像をさらに深化させる。特に、電子に比べて重い陽イオンは、蛍光体をより強く励起させるが、例えば、蛍光体の反対側の電極に正の電圧のレベルを有するサステインパルスが印加されると、重い陽イオンがより蛍光体側に引かれて、蛍光体の損傷及び固着残像をさらに悪化させるという問題がある。
【発明の開示】
【発明が解決しようとする課題】
【００１１】
本発明は、上述の問題点に鑑みてなされたもので、その目的は、固着残像を防止するためのプラズマディスプレイ装置を提供することにある。
【課題を解決するための手段】
【００１２】
上記の目的を達成すべく、本発明の一実施の形態に係るプラズマディスプレイ装置によれば、維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加する第２駆動部とを備える。
【００１３】
また、本発明の他の実施の形態に係るプラズマディスプレイ装置によれば、維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加し、前記正極性サステインパルスの印加時点又は印加時点の前に、前記正極性電圧の印加を中止する第２駆動部とを備える。
【００１４】
また、本発明のさらに他の実施の形態に係るプラズマディスプレイ装置によれば、維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加し、前記正極性サステインパルスがサステイン電圧を維持する間に、前記正極性電圧の印加を中止する第２駆動部とを備える。
【発明の効果】
【００１５】
本発明は、固着残像を防止するためのプラズマディスプレイ装置を提供するためのものである。本発明のプラズマディスプレイ装置は、固着残像を防止し、蛍光体の寿命を向上させ得るという効果がある。これにより、高品質の画質を具現することができ、信頼性のあるプラズマディスプレイ装置を提供することができる。
【発明を実施するための最良の形態】
【００１６】
以下、本発明の好ましい実施の形態を、添付図面に基づき詳細に説明する。
【００１７】
本発明の一実施の形態に係るプラズマディスプレイ装置は、維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加する第２駆動部とを備える。
【００１８】
前記維持電極は、スキャン電極又はサステイン電極であることを特徴とする。
【００１９】
前記第１駆動部は、前記サステイン期間において、前記スキャン電極又は前記サステイン電極のうち、前記正極性サステインパルス及び前記負極性サステインパルスが印加されない電極をグラウンド（ＧＮＤ）レベルの電圧に維持させることを特徴とする。
【００２０】
前記第２駆動部は、前記データ電極に印加される前記正極性電圧を前記サステイン期間の間に所定電圧レベルに維持させることを特徴とする。
【００２１】
前記第１駆動部は、リセット期間において、前記維持電極に負極性リセットパルスを印加することを特徴とする。
【００２２】
前記第２駆動部は、前記維持電極に負極性リセットパルスが印加される間に、前記データ電極に正極性の電圧を印加することを特徴とする。
【００２３】
前記第１駆動部は、前記負極性リセットパルスを印加した後、アドレス期間の前に、前記維持電極に正極性の狭幅パルスを印加することを特徴とする。
【００２４】
本発明の他の実施の形態に係るプラズマディスプレイ装置は、維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加し、前記正極性サステインパルスの印加時点又は印加時点の前に、前記正極性電圧の印加を中止する第２駆動部とを備える。
【００２５】
前記維持電極は、スキャン電極又はサステイン電極のうちのいずれかであることを特徴とする。
【００２６】
前記第１駆動部は、前記サステイン期間において、前記スキャン電極又は前記サステイン電極のうち、前記正極性サステインパルス及び前記負極性サステインパルスが印加されない電極をグラウンド（ＧＮＤ）レベルの電圧に維持させることを特徴とする。
【００２７】
前記第１駆動部は、リセット期間において、前記維持電極に負極性リセットパルスを印加することを特徴とする。
【００２８】
前記第２駆動部は、前記維持電極に負極性リセットパルスが印加される間に、前記データ電極に正極性の電圧を印加することを特徴とする。
【００２９】
前記第１駆動部は、前記負極性リセットパルスを印加した後、アドレス期間の前に、前記維持電極に正極性の狭幅パルスを印加することを特徴とする。
【００３０】
本発明のさらに他の実施の形態に係るプラズマディスプレイ装置は、維持電極及び該維持電極と交差するデータ電極を備えるプラズマディスプレイパネルと、サステイン期間において、前記維持電極に正極性サステインパルス及び負極性サステインパルスを印加する第１駆動部と、前記正極性サステインパルスの印加時点の前に、前記データ電極に正極性電圧を印加し、前記正極性サステインパルスがサステイン電圧を維持する間に、前記正極性電圧の印加を中止する第２駆動部とを備える。
【００３１】
前記第２駆動部は、前記データ電極に印加される前記正極性電圧を所定の傾斜で上昇させることを特徴とする。
【００３２】
前記維持電極は、スキャン電極又はサステイン電極のうちのいずれかであることを特徴とする。
【００３３】
前記第１駆動部は、前記サステイン期間において、前記スキャン電極又は前記サステイン電極のうち、前記正極性サステインパルス及び前記負極性サステインパルスが印加されない電極をグラウンド（ＧＮＤ）レベルの電圧に維持させることを特徴とする。
【００３４】
前記第１駆動部は、リセット期間において、前記維持電極に負極性リセットパルスを印加することを特徴とする。
【００３５】
前記第２駆動部は、前記維持電極に負極性リセットパルスが印加される間に、前記データ電極に正極性の電圧を印加することを特徴とする。
【００３６】
前記第１駆動部は、前記負極性リセットパルスを印加した後、アドレス期間の前に、前記維持電極に正極性の狭幅パルスを印加することを特徴とする。
【００３７】
以下、添付した図面を参照して、本発明の実施の形態を詳細に説明する。
【００３８】
図２は、本発明のプラズマディスプレイ装置の一例を示す図である。
【００３９】
図２に示すように、本発明に係るプラズマディスプレイ装置は、プラズマディスプレイパネル１００と、プラズマディスプレイパネル１００の維持電極であるスキャン電極Ｙ１〜Ｙｎ又はサステイン電極Ｚを駆動するための第１駆動部１２３と、プラズマディスプレイパネル１００のデータ電極Ｘ１〜Ｘｍにデータを供給するための第２駆動部１２２と、プラズマディスプレイパネルを駆動する際、第１駆動部１２３、第２駆動部１２２を制御するためのコントロール部１２１と、それぞれの駆動部１２２、１２３に必要な駆動電圧を供給するための駆動電圧発生部１２４とを備える。
【００４０】
プラズマディスプレイパネル１００は、上部基板（図示せず）と下部基板（図示せず）とが一定の間隔を隔てて合着し、上部基板には、複数の電極、例えば、維持電極であるスキャン電極Ｙ１〜Ｙｎ及びサステイン電極Ｚが対をなして形成され、下部基板には、スキャン電極Ｙ１〜Ｙｎ及びサステイン電極Ｚと交差するようにデータ電極Ｘ１〜Ｘｍが形成される。このようなプラズマディスプレイパネルの構造を詳細に説明すれば、次の図３の通りである。
【００４１】
図３は、本発明のプラズマディスプレイパネル構造の一例を説明するための図である。
【００４２】
同図に示すように、本発明のプラズマディスプレイパネル１００は、一例として、画像がディスプレイされる表示面である前面基板３０１に、スキャン電極３０２、Ｙとサステイン電極３０３、Ｚとが対をなして形成された複数の維持電極対が配列された前面パネル３００、及び背面をなす後面基板３１１上に上述した複数の維持電極対と交差するように複数のデータ電極３１３、Ｘが配列された後面パネル３１０が一定の距離を隔てて平行に結合される。
【００４３】
前面パネル３００は、一例として、１つの放電セルにおいて相互放電させ、セルの発光を維持するためのスキャン電極３０２、Ｙ及びサステイン電極３０３、Ｚ、すなわち透明なＩＴＯ物質で形成された透明電極ａ及び金属材質で製作されたバス電極ｂで備えられたスキャン電極３０２、Ｙとサステイン電極３０３、Ｚとが対をなして含まれる。スキャン電極３０２、Ｙ及びサステイン電極３０３、Ｚは、放電電流を制限し、電極対間を絶縁させる１つ以上の上部誘電体層３０４により覆われ、上部誘電体層３０４の上面には、放電条件を容易にするために、酸化マグネシウム（ＭｇＯ）を蒸着した保護層３０５が形成される。
【００４４】
後面パネル３１０は、一例として、複数の放電空間、すなわち放電セルを形成させるためのストライプタイプ（又はウェルタイプ）の隔壁３１２が平行を維持して配列される。また、アドレス放電を行って真空紫外線を発生させる複数のデータ電極３１３、Ｘが、隔壁３１２に対し平行に配置される。後面パネル３１０の上側面には、アドレス放電の際の画像表示のための可視光線を放出するＲ、Ｇ、Ｂ型光体３１４が塗布される。データ電極３１３、Ｘと蛍光体３１４との間には、データ電極３１３、Ｘを保護するための下部誘電体層３１５が形成される。
【００４５】
この図３では、本発明のプラズマディスプレイパネル構造の一例のみを示して説明したが、本発明がこの図３の構造に限定されるものではないことは勿論である。例えば、この図３では、前面パネル３００にスキャン電極３０２、Ｙとサステイン電極３０３、Ｚが形成され、後面パネル３１０にデータ電極３１３、Ｘが形成されることのみを示しているが、これとは異なって、前面パネル３００にスキャン電極３０２、Ｙ、サステイン電極３０３、Ｚ及びデータ電極３１３、Ｘが全て形成されることもできる。
【００４６】
また、上述したスキャン電極３０２、Ｙとサステイン電極３０３、Ｚは、それぞれ透明電極ａとバス電極ｂからなることのみを示しているが、これとは異なって、スキャン電極３０２、Ｙとサステイン電極３０３、Ｚのうちのいずれか１つ以上はバス電極ｂのみからなることもできる。
【００４７】
このように形成された前面パネル３００と後面パネル３１０とがシーリング工程により合着されて、プラズマディスプレイパネルが形成され、図２で上述した電極を駆動する駆動部が取り付けられて、プラズマディスプレイ装置をなす。
【００４８】
次に、図２を説明すれば、第２駆動部１２２には、示していない逆ガンマ補正回路、誤差拡散回路などにより逆ガンマ補正及び誤差拡散された後、サブフィールドマッピング回路により各サブフィールドにマッピングされたデータが供給される。このような第２駆動部１２２は、コントロール部１２１からのタイミング制御信号ＣＴＲＸに応答して、データをサンプリングしラッチした後、そのデータをデータ電極Ｘ１〜Ｘｍに供給する。このとき、上述したデータに応じてオンになる放電セル、すなわち表示放電を起こすセルが選択される。例えば、オンになる放電セルには、アドレス期間の間の第２駆動部１２２は、データパルスを、上述した第１駆動部１２３がスキャン電極Ｙ１〜Ｙｎに順次供給するスキャン電圧−Ｖｙのスキャンパルスに同期されるようにデータ電極Ｘ１〜Ｘｍに供給する。このように、オンになった放電セルには、後述するサステイン期間においてサステインパルスが印加されることにより、表示放電がおきるようになる。
【００４９】
また、本発明に一実施の形態に係る第２駆動部１２２は、サステイン期間のうち、後述する正極性サステインパルスの印加時点の前に、データ電極Ｘに正極性電圧を印加して固着残像を防止することができるが、これに対する詳細な説明は、図５以下で後述する。
【００５０】
第１駆動部１２３は、コントロール部１２１の制御下にリセット期間の間にリセット波形をスキャン電極Ｙに供給する。また、第１駆動部１２３は、コントロール部１２１の制御下にアドレス期間の間にスキャンバイアス電圧Ｖｓｃに維持させ、かつ、スキャン電圧−Ｖｙのスキャンパルスをスキャン電極Ｙ１〜Ｙｎに順次供給することができる。
【００５１】
第１駆動部１２３は、コントロール部１２１の制御下にセットダウン期間の間又はセットダウン期間とアドレス期間の間に、正極性電圧のバイアス電圧をサステイン電極Ｚに供給することができる。
【００５２】
また、第１駆動部１２３は、コントロール部１２１の制御下にサステイン期間において、上述した維持電極、すなわち、スキャン電極Ｙ又はサステイン電極Ｚのうちのいずれかの電極に正極性サステインパルスと負極性サステインパルスとを交互に印加して、サステイン放電を行う。このとき、上述した通りに、本発明のプラズマディスプレイ装置において、第２駆動部１２２は、コントロール部１２１の制御下にサステイン期間において前記正極性サステインパルスの印加時点の前に、データ電極に所定期間維持される正極性電圧の波形を印加するようになるが、図５以下下で詳細に後述する。
【００５３】
コントロール部１２１は、垂直／水平同期信号とクロック信号とを受信し、リセット期間、アドレス期間、サステイン期間において各駆動部１２２、１２３の動作タイミング及び同期化を制御するタイミング制御信号ＣＴＲＸ、ＣＴＲＹ、ＣＴＲＺを発生し、そのタイミング制御信号ＣＴＲＸ、ＣＴＲＹ、ＣＴＲＺを該当駆動部１２２、１２３に供給することによって、各駆動部１２２、１２３を制御する。
【００５４】
一方、データ制御信号ＣＴＲＸには、データをサンプリングするためのサンプリングクロック、ラッチ制御信号、サステイン駆動回路、及び駆動スイッチ素子のオン／オフタイムを制御するスイッチ制御信号が含まれる。スキャン制御信号ＣＴＲＹには、第１駆動部１２３内のサステイン駆動回路と駆動スイッチ素子のオン／オフタイムを制御するためのスイッチ制御信号が含まれ、サステイン制御信号ＣＴＲＺには、第１駆動部１２３内のサステイン駆動回路と駆動スイッチ素子のオン／オフタイムを制御するためのスイッチ制御信号が含まれる。
【００５５】
このような本発明のコントロール部１２１は、従来とは異なって、第２駆動部１２２を制御してリセット期間とサステイン期間において所定期間の間に正極性電圧の波形を印加するが、これに対する詳細な構成は、図５以下で後述する。
【００５６】
駆動電圧発生部１２４は、セットアップ電圧、スキャン共通電圧Ｖｓｃ、スキャン電圧−Ｖｙ、サステイン電圧Ｖｓ、データ電圧Ｖａなどを発生させる。このような駆動電圧は、放電ガスの組成や放電セル構造に応じて変わることができる。
【００５７】
図４は、本発明のプラズマディスプレイ装置の画像階調を具現する方法の一例を示す図である。
【００５８】
図４に示すように、本発明のプラズマディスプレイ装置の画像階調（Ｇｒａｙ  Ｌｅｖｅｌ）の表現方法は、１フレームを発光回数が所定の値にそれぞれ設定された複数のサブフィールドに分け、各サブフィールドは、再びすべてのセルを初期化させるためのリセット期間、放電されるセルを選択するためのアドレス期間及び放電回数に応じて階調を具現するサステイン期間に分けられる。
【００５９】
例えば、２５６階調で画像を表示しようとする場合、１／６０秒に該当するフレーム期間（１６．６７ｍｓ）は、図４に示すように、８個のサブフィールドＳＦ１〜ＳＦ８に分けられ、８個のサブフィールドＳＦ１〜ＳＦ８それぞれは、リセット期間、アドレス期間、及びサステイン期間に再び分けられる。
【００６０】
各サブフィールドのリセット期間及びアドレス期間は、各サブフィールドごとに同じである。サステイン期間は、各サブフィールドにおいて２ｎ（但し、ｎ＝０、１、２、３、４、５、６、７）の割合で増加する。このように各サブフィールドにおいて、サステイン期間の差を利用して画像を表示する。すなわち、各サブフィールドのサステイン期間、すなわちサステインの放電回数を調節することにより、画像の階調を表現することである。
【００６１】
この図４では、１つのフレームが８個のサブフィールドからなる場合のみを示し説明したが、これとは異なって、１つのフレームをなすサブフィールドの個数は、多様に変更され得る。例えば、第１サブフィールドから第１２サブフィールドまでの１２個のサブフィールドで１つのフレームを構成することもでき、１０個のサブフィールドで１つのフレームを構成することもできる。
【００６２】
また、この図４では、１つのフレームにおいて階調加重値の大きさが増加する順にサブフィールドが配列されたが、これとは異なって、１つのフレームにおいてサブフィールドが階調加重値が減少する順に配列されることもでき、又は階調加重値に関わらず、サブフィールドが配列されることもできる。
【００６３】
図５以下では、本発明のプラズマディスプレイ装置の駆動方法に応じる駆動波形の実施の形態を説明する。
【００６４】
図５は、本発明のプラズマディスプレイ装置の駆動方法に応じる駆動波形の第１の実施の形態を示す図である。
【００６５】
図５に示すように、本発明の一実施の形態に係るプラズマディスプレイ装置は、一例として、画面のフレームを複数のサブフィールドに分け、再びそのサブフィールドはすべてのセルを初期化させるためのリセット期間、放電するセルを選択するためのアドレス期間、選択されたセルの放電を維持させるためのサステイン期間に分けられて駆動される。また、必要に応じて放電されたセル内の壁電荷を消去する消去期間がさらに駆動され得る。
【００６６】
リセット期間には、スキャン電極Ｙに負極性のリセットパルス−Ｖｓｅｔが印加される。このリセットパルス−Ｖｓｅｔにより、全画面の放電セル内には、弱い暗放電（Ｄａｒｋ  Ｄｉｓｃｈａｒｇｅ）が起きる。この放電により、データ電極Ｘ及びサステイン電極Ｚ上には負極性壁電荷が蓄積され、スキャン電極上には、正極性の壁電荷が蓄積される。以後、スキャン電極に過度に形成された壁電荷を十分に消去させるようになる。このリセット放電により、アドレス放電が安定的に起きることができる程度の壁電荷がセル内に均一に残留する。
【００６７】
このような負極性のリセットパルス−Ｖｓｅｔは、本発明のプラズマディスプレイ装置においてさらに効果的に機能する。すなわち、蛍光体の反対側の電極に陽イオンが引かれるようにすることにより、蛍光体の損傷を最小化させ、固着残像防止にさらに効果的に機能することができる。
【００６８】
また、リセット期間において、第２駆動部１２２がコントロール部１２１の制御下に前記スキャン電極Ｙに負極性リセットパルスが印加される間に、データ電極Ｘに正極性電圧Ｖｚ１の波形を印加して、さらに効果的に蛍光体の損傷を防止し、固着残像を除去させることができるのみならず、スキャン電極Ｙに印加される負極性リセットパルスの電圧の大きさを相対的に低くすることができるため、低電圧の駆動をすることができるという長所がある。
【００６９】
また、上述したリセット期間の負極性リセットパルスを印加した後、アドレス期間の前にリセットパルスが印加された維持電極、すなわち、一例として、スキャン電極Ｙに所定の正極性の狭幅パルスＶｐを印加して、アドレス放電の正確度を向上させることができ
る。これにより、アドレスマージンを向上させることができる。なお、負極性壁電荷をスキャン電極Ｙ側にさらに多く形成させることによって、アドレス期間においてスキャン電極Ｙに印加される負極性のスキャンパルス−Ｖｙの絶対値を低くしても、十分に壁電荷を調節することができるため、低電圧駆動を可能にする。例えば、負極性のスキャンパルス−Ｖｙの電圧を負極性サステインパルスの電圧−Ｖｓと同様にすることができる。このように、電圧のピーク値を下げることによって、蛍光体に与える影響を減らし、固着残像をさらに効果的に防止することができる。
【００７０】
その次のアドレス期間には、負極性スキャンパルスがスキャン電極Ｙに印加されると同時に、スキャンパルス−Ｖｙに同期されて、データ電極Ｘに正極性のデータパルスＶｚ２が印加される。このスキャンパルス−ＶｙとデータパルスＶｚ２との電圧差と、リセット期間に生成された壁電圧とが加算されて、データパルスＶｚ２が印加される放電セル内にはアドレス放電が発生する。アドレス放電により選択されたセル内には、サステイン電圧Ｖｓが印加される際に放電を起こす程度の壁電荷が形成される。このようなアドレス放電は、例えば上述したデータパルスＶｚ２により起きる。すなわち、上述したスキャンパルス−Ｖｙは、すべての放電セルに順次印加されるが、データパルスＶｚ２は、表示放電であるサステイン放電を起こそうとする放電セルのみに印加することによって、オンになる放電セルを選択することができるのである。
【００７１】
サステイン期間には、上述した維持電極、すなわち、スキャン電極Ｙ又はサステイン電極Ｚのうち、いずれか１つの電極に正極性サステインパルスの電圧Ｖｓと負極性サステインパルスの電圧−Ｖｓとを交互に印加することにより、サステイン放電を行う。このとき、アドレス放電により選択されたセルは、セル内の壁電圧とサステインパルスとが加算されながら、毎サステインパルスが印加されるごとに、スキャン電極とサステイン電極との間にサステイン放電、すなわち、表示放電がおきるようになる。
【００７２】
この図５では、正極性サステインパルス及び負極性サステインパルスが供給される維持電極がスキャン電極Ｙであることを例に挙げて説明しているが、維持電極は、スキャン電極Ｙに限定されず、サステイン電極Ｚであっても良い。また、サステイン期間において、スキャン電極Ｙ又はサステイン電極Ｚのうち、正極性サステインパルス及び負極性サステインパルスが印加されない電極に、すなわち、図５ではサステイン電極Ｚは、グラウンド（ＧＮＤ）レベルの電圧を維持させる。
【００７３】
サステイン放電が完了した後、放電されたセル内の壁電荷を消去する消去期間が追加されて駆動されると、消去期間では、パルス幅又は電圧レベルの小さな消去ランプ波形（Ｒａｍｐ−ｅｒｓ）の電圧がサステイン電極に供給されて、全画面のセル内に残留する壁電荷を消去させる。
【００７４】
また、ここで、本発明のプラズマディスプレイ装置において、第２駆動部１２２は、コントロール部１２１の制御下にサステイン期間において正極性サステインパルスの印加時点の前に、データ電極Ｘに所定期間の間に維持される正極性電圧を印加することができる。
【００７５】
ここで、さらに詳細に、本発明の第１の実施の形態では、データ電極に印加される正極性電圧Ｖｘの波形の上昇時点は、維持電極に正極性サステインパルスが印加される前であり、下降時点は、正極性サステインパルスの印加時点又は正極性サステインパルスの印加時点の前であり得る。例えば、図５では、正極性サステインパルスＶｓの印加時点の前に、データ電極Ｘに正極性電圧Ｖｘを印加し、正極性サステインパルスＶｓの印加時点に正極性電圧Ｖｘの印加を中止して、固着残像を防止することができる。すなわち、１つの電極のみに正極性のサステインパルス及び負極性のサステインパルスを印加してサステイン放電を発生させる際、蛍光体が形成されたパネル側の電極、一例として、データ電極Ｘとの対向放電を最小化させてサステイン放電特性を向上させることができるのみならず、蛍光体に及ぼす影響を低減させることができる。
【００７６】
また、維持電極、例えば、スキャン電極Ｙに正極性のサステインパルスＶｓが印加される前に、データ電極Ｘに正極性の電圧Ｖｘを印加することによって、陽イオンが蛍光体が形成されたデータ電極Ｘ側に引かれることを防止して、蛍光体の寿命を向上させ、かつ、固着残像も低減させることができるという効果がある。
【００７７】
また、維持電極、例えば、スキャン電極Ｙに負極性サステインパルス−Ｖｓが印加されると、蛍光体側には、相対的に陰イオン又は電子が引かれるようになる。このとき、電子の励起作用により発生する紫外線により発光する蛍光体は、電子の影響を相対的に多く受けて、発光能力が強化されて輝度を向上させることができる。それにより、プラズマディスプレイ装置の駆動効率を上げることができる。
【００７８】
ここで、上述したサステイン期間において、交互に印加される正極性サステインパルスと負極性サステインパルスは、上述したように、スキャン電極Ｙ又はサステイン電極Ｚの全てが実施可能である。一例として、リセット期間の駆動波形、すなわち、負極性ランプ波形を印加させるスキャン電極Ｙに前記交互の正極性サステインパルス及び負極性サステインパルスを印加させて、駆動部を統合することができる。但し、ここで、スキャン電極とサステイン電極のうち、正極性サステインパルス及び前記負極性サステインパルスが印加されない電極には、グラウンド（ＧＮＤ）レベルの電圧を維持させて、一方の電極に印加されるパルスの電圧レベルを安定化させて、ノイズや電磁波の干渉の影響を最小化させることができることから、サステイン放電を安定化させることができる。
【００７９】
また、上述した正極性サステインパルスの電圧の絶対値及び前記負極性サステインパルスの電圧の絶対値は、サステイン電圧Ｖｓと同様に設定して、駆動の簡素化をなすことができる。
【００８０】
このように本発明は、蛍光体の寿命を延長させ、固着残像を防止することができるという効果があるが、これは、上述した第１の実施の形態の構成に限定されない。すなわち、蛍光体側に陽イオンが引かれることを防止するために、データ電極側に印加するパルスは多様に実施可能であるが、これに対する他の実施の形態を説明すれば、次の図６の通りである。
【００８１】
図６は、本発明のプラズマディスプレイ装置の駆動方法に応じる駆動波形の第２の実施の形態を示す図である。
【００８２】
図６に示すように、上述した図５の駆動波形と同様に、本発明のプラズマディスプレイ装置は、一例として、画面のフレームを複数のサブフィールドに分け、再びそのサブフィールドはすべてのセルを初期化させるためのリセット期間、放電するセルを選択するためのアドレス期間、選択されたセルの放電を維持させるためのサステイン期間に分けられて駆動される。また、必要に応じて放電されたセル内の壁電荷を消去する消去期間がさらに駆動され得る。
【００８３】
ここで、リセット期間及びアドレス期間は、図５の構成で既に説明したので、省略する。本発明の第２の実施の形態では、サステイン期間には、上述した維持電極、すなわち、スキャン電極Ｙ又はサステイン電極Ｚのうちのいずれか１つの電極に正極性サステインパルスと負極性サステインパルスとを交互に印加してサステイン放電を行うとき、第２駆動部１２２は、コントロール部１２１の制御下にサステイン期間において正極性サステインパルスＶｓの印加時点の前にデータ電極Ｘに正極性電圧Ｖｘを印加し、正極性サステインパルスがサステイン電圧Ｖｓを維持する間、正極性電圧Ｖｘの印加を中止することができる。
【００８４】
すなわち、本発明の第２の実施の形態では、データ電極Ｘに印加される正極性電圧Ｖｘの波形の上昇時点は、維持電極に正極性サステインパルスが印加される前であり、下降時点は、正極性サステインパルスがサステイン電圧Ｖｓを維持する期間中として、上述したように蛍光体の損失を減らし、固着残像を効果的に防止することができる。
【００８５】
また、これとは異なる第３の実施の形態を説明すれば、次の図７の通りである。
【００８６】
図７は、本発明のプラズマディスプレイ装置の駆動方法に応じる駆動波形の第３の実施の形態を示す図である。
【００８７】
図７に示すように、上述した図５の駆動波形と同様に、本発明のプラズマディスプレイ装置は、一例として、画面のフレームを複数のサブフィールドに分け、再びそのサブフィールドはすべてのセルを初期化させるためのリセット期間、放電するセルを選択するためのアドレス期間、選択されたセルの放電を維持させるためのサステイン期間に分けられて駆動される。また、必要に応じて放電されたセル内の壁電荷を消去するための消去期間が追加されて駆動され得る。
【００８８】
ここで、リセット期間とアドレス期間は、図５の構成において既に説明したので省略する。本発明の第３の実施の形態では、サステイン期間には、上述した維持電極、すなわち、スキャン電極Ｙ又はサステイン電極Ｚのうちのいずれか１つの電極に正極性サステインパルスと負極性サステインパルスとを交互に印加してサステイン放電を行う際、第２駆動部１２２は、コントロール部１２１の制御下にサステイン期間において、正極性サステインパルスＶｓの印加時点の前にデータ電極Ｘに正極性電圧Ｖｘを印加し、正極性サステインパルスがサステイン電圧Ｖｓを維持する間に、正極性電圧Ｖｘの印加を中止することができる。
【００８９】
ここで、本発明の３実施の形態では、データ電極Ｘに印加される正極性電圧Ｖｘの波形を所定の傾斜で上昇させることができる。すなわち、図７のように、一例として、正極性電圧Ｖｘの波形を、正極性サステインパルスが印加される前に所定の傾斜で上昇させることができ、正極性電圧Ｖｘの波形を、正極性サステインパルスがサステイン電圧Ｖｓを維持する期間中に下降させることで、陽イオンによる蛍光体の損傷及び固着残像を効果的に防止することができる。
【００９０】
図８は、本発明のプラズマディスプレイ装置の駆動方法に応じる駆動波形の第４の実施の形態を示す図である。
【００９１】
図８に示すように、上述した図５の駆動波形と同様に、本発明のプラズマディスプレイ装置は、一例として、画面のフレームを複数のサブフィールドに分け、再びそのサブフィールドはすべてのセルを初期化させるためのリセット期間、放電するセルを選択するためのアドレス期間、選択されたセルの放電を維持させるためのサステイン期間に分けられて駆動される。また、必要に応じて放電されたセル内の壁電荷を消去する消去期間がさらに駆動され得る。
【００９２】
ここで、リセット期間及びアドレス期間は、図５の構成において既に説明したので省略する。本発明の第４の実施の形態では、サステイン期間には上述した維持電極、すなわち、スキャン電極Ｙ又はサステイン電極Ｚのうちのいずれか１つの電極に正極性サステインパルスと負極性サステインパルスとを交互に印加してサステイン放電を行うとき、第２駆動部１２２は、コントロール部１２１の制御下にサステイン期間に正極性サステインパルスＶｓの印加時点の前に、データ電極Ｘに正極性電圧Ｖｘを印加し、正極性電圧Ｖｘがサステイン期間に所定期間の間に維持されるようにすることができる。
【００９３】
本発明の第４の実施の形態では、データ電極Ｘに印加される正極性電圧Ｖｘの波形をサステイン期間の間に所定電圧レベルに維持させることができる。すなわち、図８において説明したように、一例として、サステイン電圧Ｖｓより低い正極性の電圧をサステイン期間の間に維持させることで、陽イオンが引かれるのを効果的に防止することができる。
【００９４】
このように、本発明の実施の形態は、上述したものに限定されない。すなわち、サステイン期間において、維持電極に正極性サステインパルス及び負極性サステインパルスを印加させ、再び正極性サステインパルスが供給される前に、データ電極に所定の波形を供給して、陽イオンによる蛍光体の損傷を予防することができるものであると、本発明に含まれると見なすことができる。したがって、データ電極に印加される波形は、ＤＣ電圧、傾斜のあるバイアス電圧、ランプパルスなど多様な形態で実施可能なものである。
【００９５】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００９６】
【図１】従来プラズマディスプレイパネルにおいて発生する残像を説明するための図である。
【図２】本発明のプラズマディスプレイ装置の一例を示す図である。
【図３】本発明のプラズマディスプレイパネル構造の一例を説明するための図である。
【図４】本発明のプラズマディスプレイ装置の画像階調を具現する方法の一例を示す図である。
【図５】本発明のプラズマディスプレイ装置の駆動方法に応じる駆動波形の第１の実施の形態を示す図である。
【図６】本発明のプラズマディスプレイ装置の駆動方法に応じる駆動波形の第２の実施の形態を示す図である。
【図７】本発明のプラズマディスプレイ装置の駆動方法に応じる駆動波形の第３の実施の形態を示す図である。
【図８】本発明のプラズマディスプレイ装置の駆動方法に応じる駆動波形の第４の実施の形態を示す図である。
【図１】
2007108760.tif 000003
【図２】
2007108760.tif 000004
【図３】
2007108760.tif 000005
【図４】
2007108760.tif 000006
【図５】
2007108760.tif 000007
【図６】
2007108760.tif 000008
【図７】
2007108760.tif 000009
【図８】
2007108760.tif 000010